(57)【要約】【課題】  薄型でフレキシビリティに富み、かつ所望の電気特性を有する信号伝送用ケーブルを提供する。【解決手段】  信号導体５の両側に、信号導体５と同一平面上に接地導体６を配置し、これら信号導体５および接地導体６を上下双方向から電気絶縁薄膜７で被覆し、電気絶縁薄膜７を上下双方向から金属遮蔽層１１で被覆することにより信号伝送用ケーブル４が構成される。金属被覆層１１は、銅やアルミニウム等の金属層８の一方面にポリエチレンテレフタレート（ＰＥＴ）等のプラスチック層９を設け、他方面に導電性接着層１０を設けてなるもので、導電性接着層１０を設けた面同士が向き合うようにして電気絶縁薄膜７の外側に形成される。【選択図】図２
2006202714.tif 000002
【特許請求の範囲】
【請求項１】
金属箔からなる信号導体と、該信号導体の両側に配置された金属箔からなる接地導体とが、誘電率が３．０以下かつ誘電正接が０．００２以下の電気絶縁薄膜で被覆され、該電気絶縁薄膜の周囲に金属遮蔽層が形成されてなることを特徴とする信号伝送用ケーブル。
【請求項２】
アンテナ素子と、該アンテナ素子への給電線として請求項１に記載の信号伝送用ケーブルとを備えたことを特徴とするアンテナ装置。
【発明の詳細な説明】
【技術分野】
【０００１】  本発明は、信号伝送用ケーブルおよび当該ケーブルを給電線としたアンテナ装置に関し、特に、薄型でフレキシビリティに富み、かつ所望の電気特性を有する信号伝送用ケーブル、および携帯電話、ＰＣ（パーソナルコンピュータ）、ＰＤＡ（Ｐｅｒｓｏｎａｌ  Ｄｉｇｉｔａｌ  Ａｓｓｉｓｔａｎｃｅ）等の電子機器における使用に好適なアンテナ装置に関する。
【背景技術】
【０００２】  従来、携帯電話、ＰＣ、ＰＤＡ等の電子機器においては、付属アンテナからメイン基板までの給電線として同軸ケーブルが使用されてきているケースが多い。【０００３】  近年、携帯電話やノート型ＰＣは、二つ折りタイプのものが普及すると共に、小型化、薄型化されてきており、アンテナ給電線には、二つ折りするヒンジ部を挿通させるためのフレキシビリティと、狭い空間に配線するための薄型化が要求されるが、同軸ケーブルは、丸型で外径が大きく、このような要求を満たすことはできない。【０００４】  このような同軸ケーブルの欠点を改良するため、図１乃至図３に示すような信号伝送用ケーブルが提案されている（例えば、特許文献１参照）。【０００５】  この信号伝送用ケーブル４は、金属箔からなる信号導体５と、信号導体５の両側にかつ信号導体５と同一平面上に配置された金属箔からなる接地導体６と、信号導体５および接地導体６を被覆する電気絶縁薄膜７と、電気絶縁薄膜７の周囲に設けられた金属遮蔽層１１とによって構成されている。【０００６】  このような構成の信号伝送用ケーブル４は、薄型でフレキシビリティに富むため、携帯電話やノート型パソコンのような二つ折りタイプの電子機器の給電線として適したものである。
【特許文献１】特開２００４−２８９５７８号公報（図４、００１８段落乃至００２３段落）
【発明の開示】
【発明が解決しようとする課題】
【０００７】  しかしながら、前記信号伝送用ケーブル４の電気絶縁薄膜７は、ポリイミド、ポリエチレンテレフタレート（ＰＥＴ）といった材料からなるため、所望の特性インピーダンス、例えば５０Ωの特性インピーダンスを実現するためには、伝送損失が大きくなり、電子機器のアンテナ給電線としての使用に供することができないという問題がある。【０００８】  そこで、本発明は、薄型でフレキシビリティに富み、かつ所望の電気特性を有する信号伝送用ケーブルを提供することを目的としている。【０００９】  また、本発明は、薄型でフレキシビリティに富み、かつ所望の電気特性を有する信号伝送用ケーブルを給電線として備えたアンテナ装置を提供することを目的としている。
【課題を解決するための手段】
【００１０】  前記目的を達成するため、請求項１の発明は、金属箔からなる信号導体と、該信号導体の両側に配置された金属箔からなる接地導体とが、誘電率が３．０以下かつ誘電正接が０．００２以下の電気絶縁薄膜で被覆され、該電気絶縁薄膜の周囲に金属遮蔽層が形成されてなる信号伝送用ケーブルを特徴としている。【００１１】  また、請求項２の発明は、アンテナ素子と、該アンテナ素子への給電線として請求項１に記載の信号伝送用ケーブルとを備えたアンテナ装置を特徴としている。
【発明の効果】
【００１２】  このように構成された請求項１のものは、誘電率が３．０以下かつ誘電正接が０．００２以下の材料でもって電気絶縁薄膜を形成している。【００１３】  このため、小さな伝送損失でありながら所望の特性インピーダンスを実現でき、しかも、薄型でフレキシビリティに富んだ信号伝送用ケーブルを得ることができる。【００１４】  また、請求項２のものは、アンテナ素子への給電線として前記信号伝送用ケーブルを用いている。【００１５】  このため、従来の同軸ケーブルを給電線としたアンテナ装置と比較して遜色のない電気特性を有し、しかも、二つ折りタイプの携帯電話やノート型ＰＣ等の電子機器における使用に好適なアンテナ装置を得ることができる。
【発明を実施するための最良の形態】
【００１６】  以下、本発明の信号伝送用ケーブルおよびアンテナ装置の最良の実施の形態を添付図面を参照して説明する。【００１７】  図１は、アンテナ１の放射部２および接地部３に信号伝送用ケーブル４を電気的に接続した状態を示したものである。【００１８】  信号伝送用ケーブル４は、図２および図３の断面図にも示すように、信号導体５の両側に、信号導体５と同一平面上に接地導体６を配置し、これら信号導体５および接地導体６を上下双方向から電気絶縁薄膜７で被覆し、電気絶縁薄膜７を上下双方向から金属遮蔽層１１で被覆することにより構成される。【００１９】  金属被覆層１１は、銅やアルミニウム等の金属層８の一方面にポリエチレンテレフタレート（ＰＥＴ）等のプラスチック層９を設け、他方面に導電性接着層１０を設けてなるもので、導電性接着層１０を設けた面同士が向き合うようにして電気絶縁薄膜７の外側に形成される。【００２０】  信号伝送用ケーブル４には、所定間隔毎に接地導体６と金属遮蔽層１１の金属層８を電気的に接続する接合部１２形成されており、この接合部１２は、図３に示すように、電気絶縁薄膜７の一部が除去され、接地導体６と金属層８とが導電性接着層１１を介して接合されている。【００２１】  信号伝送用ケーブル４の信号導体５とアンテナ１の放射部２とは、接続部１３において電気的に接続され、接地導体６と接地部３とは、接続部１４において電気的に接続されている。【００２２】  本実施の形態においては、信号導体５および接地導体６は、共に、銅やアルミニウム等の電気伝導性が良好な金属の箔、蒸着層またはメッキ層により形成されている。【００２３】  電気絶縁薄膜７は、誘電率が３．０以下かつ誘電正接が０．００２以下のプラスチック材料でもって形成することにより、所望の特定インピーダンスを有し、かつ低伝送損失の信号伝送用ケーブル４を得ることができる。【００２４】  このような、電気絶縁薄膜７を形成するプラスチック材料としては、液晶ポリマ（ＬＣＰ）やポリテトラフルオロエチレン（ＰＴＦＥ）といったものをあげることができる。【００２５】  電気絶縁薄膜７としてポリイミド、ポリエチレンテレフタレート（ＰＥＴ）、液晶ポリマ（ＬＣＰ）、ポリテトラフルオロエチレン（ＰＴＦＥ）を使用した場合の信号伝送用ケーブル４の特性インピーダンスおよび伝送損失の測定結果を図４に示した。【００２６】  なお、図４には、電子機器用アンテナの給電線として使用されている、フッ素樹脂を絶縁体とした同軸ケーブルについての測定結果をも参考のため示した。【００２７】  同軸ケーブルは、絶縁体がフッ素樹脂であるがゆえに、低誘電率かつ低誘電正接を有し、給電線として十分な性能を発揮しているが、同目的に一般的に採用されている導体サイズが３６ＡＷＧの場合、ケーブル外径が０．８１ｍｍと大きくなる。【００２８】  試料Ｎｏ．１およびＮｏ．２は、電気絶縁薄膜７としてポリイミドを使用したものであるが、試料Ｎｏ．１のように、銅箔（信号導体５および接地導体６）厚さを一般的な厚さである０．０３５ｍｍとし、電気絶縁薄膜７の厚さを０．０５ｍｍとすると、特性インピーダンスが５０Ωを大きく下回り、インピーダンス整合をとることができず、試料Ｎｏ．２のよう��、銅箔厚さおよび電気絶縁薄膜７の厚さを調整して特性インピーダンスが５０Ωとなるようにした場合は、伝送損失が大きくなり、アンテナ給電線の性能としては不十分となってしまう。【００２９】  試料Ｎｏ．３は、電気絶縁薄膜７としてＰＥＴを使用したものであるが、前記試料Ｎｏ．２と同様に伝送損失が大きく、アンテナ給電線の性能としては不十分である。【００３０】  試料Ｎｏ．４および試料Ｎｏ．５は、誘電率および誘電正接が共に本発明で規定する範囲内（誘電率：３．０以下、誘電正接：０．００２以下）にあるＬＣＰおよびＰＴＦＥを電気絶縁薄膜７として使用したものであり、伝送損失が同軸ケーブルと遜色のない値でもって５０Ωの特性インピーダンスを有する信号伝送用ケーブルを実現できる。【００３１】  しかも、この場合、同軸ケーブルの外径が約０．８１ｍｍに対し、金属遮蔽層１１を含めても、厚さが０．５ｍｍ以下の信号伝送用ケーブルを実現でき、電子機器内の限られたスペースでの配線の引き回しに適しているといえる。【００３２】  また、携帯電話やノート型ＰＣのように二つ折りタイプで、アンテナ部分が液晶表示画面側に位置した場合でも、本実施の形態のように薄型でフレキシビリティに富んだ信号伝送用ケーブルは、ヒンジ部を経由して、メイン基板までの配線に十分に耐えることができる。【００３３】  本実施の形態における信号伝送用ケーブルの製造方法について説明すると、電気絶縁薄膜７の片面に銅箔を積層した銅張積層板を用意し、銅箔をエッチングすることにより信号導体５および接地導体６を形成する。【００３４】  次に、信号導体５および接地導体６が露出した面に電気絶縁薄膜７を積層し、さらに、電気絶縁薄膜７の上下に、金属層８の一方面にプラスチック層９を、他方面に導電性接着層１０を設けた金属遮蔽層１１を、導電性接着層１０を設けた面同士が向き合うようにして加熱圧着することにより、信号伝送用ケーブルが製造される。【００３５】  また、アンテナ素子である放射部についても同様に、電気絶縁薄膜の片面に銅箔を積層した銅張積層板を用意し、銅箔をエッチングすることによりアンテナパターンを形成し、アンテナパターンが露出した面に電気絶縁薄膜を積層することにより製造される。【００３６】  本発明のアンテナ装置は、信号伝送用ケーブルとアンテナ素子とをそれぞれ個々に製造し、これらを電気的に接続したものであっても良いが、信号伝送用ケーブルとアンテナ素子とを一体化して製造したものであってもよい。【００３７】  信号伝送用ケーブルとアンテナ素子とが一体化されたアンテナ装置は、電気絶縁薄膜の片面に銅箔を積層した銅張積層板を用意し、銅箔をエッチングすることにより信号導体、接地導体およびアンテナパターンを一体的に形成し、これら信号導体、接地導体およびアンテナパターンが露出した面に電気絶縁薄膜を積層し、信号導体、接地導体およびアンテナパターンが一体化された形状を保ちながら所定形状に打ち抜き成形し、その後、信号導体および接地導体部分に金属遮蔽層を形成して製造される。【００３８】  以上、図面を参照して、本発明の最良の実施の形態を詳述してきたが、具体的な構成は、この実施の形態に限らず、本発明の要旨を逸脱しない程度の設計的変更は、��発明に含まれる。
【図面の簡単な説明】
【００３９】
【図１】  本発明の最良の実施の形態の信号伝送用ケーブルおよびアンテナ装置、ならびに従来の信号伝送用ケーブルを説明する斜視図である。
【図２】  図１のＸ−Ｘ線断面図である。
【図３】  図１のＹ−Ｙ線断面図である。
【図４】  本発明の最良の実施の形態の信号伝送用ケーブルの構造および電気特性を説明する表である。
【符号の説明】
【００４０】１  アンテナ
２  放射部
３  接地部
４  信号伝送用ケーブル
５  信号導体
６  接地導体
７  電気絶縁薄膜
８  金属層
９  プラスチック層
１０  導電性接着層
１１  金属遮蔽層
【図１】
2006202714.tif 000003
【図２】
2006202714.tif 000004
【図３】
2006202714.tif 000005
【図４】
2006202714.tif 000006